(57)【特許請求の範囲】
【請求項１】
音信号が入力される入力手段と、
図形を表示する表示器と、
前記入力手段に入力された音信号の音高を検出する音高検出手段と、
前記音高検出手段により検出された検出音高に応じて基準弦とする１本の弦を指定する弦指定手段と、
複数の弦それぞれに対応する各弦対応部分からなる、弦の本数が相互に異なる複数の図形のうちの、前記弦指定手段により指定された基準弦に対応した弦対応部分を含む中で最小数の弦対応部分からなる図形を該表示器に表示する第１の表示制御手段と、
前記第１の表示制御手段により前記表示器に表示された図形のうち、前記弦指定手段により指定された基準弦に対応した弦を表す部分を示す表示を行なう第２の表示制御手段と、
前記音高検出手段により検出された検出音高と前記基準弦に対応して定められている基準音高とを比較して、該検出音高の、該基準音高からのズレ量を求める音高比較手段と、
前記音高比較手段により求められたズレ量を前記表示器に表示させる第３の表示制御手段とを備えたことを特徴とするチューナ。
【発明の詳細な説明】
【０００１】
【発明の属する技術分野】
本発明は、弦楽器のチューニング（調律）に用いられるチューナに関する。
【０００２】
【従来の技術】
ギターやベースなどの弦楽器のチューニングを行なう際には、弦楽器の弾弦により入力される音信号の音高を検出し、検出された検出音高と、あらかじめ定められている基準音高とのズレ量を表示するチューナが用いられる。このようなチューナとして、特開平５−０６６７６５号公報に、入力されている音信号の音高がいずれの音名（Ｃ，Ａ，Ｄ，Ｄ＃等）に対応するかを表示するとともに、その音名の基準音高と入力されている音信号の音高とのズレ量を表示し、さらに入力されている音信号の音高に対応する弦番号を表示するチューナが提案されている。操作者は、表示された音名および弦番号を確認しながら、入力されている音信号の音高と基準音高とのズレ量が小さくなるようにチューニングを行なう。
【０００３】
【発明が解決しようとする課題】
上述した公報に提案されているチューナでチューニングを行なうには、操作者は各弦に対応する音名あるいは弦番号をあらかじめ知っている必要がある。しかし、各弦に対応する音名を覚えるのは初心者にとって困難である。また、各弦に対応する弦番号は、各弦に対応する音名よりは初心者にも馴染み易いと考えられるが、各弦に対応する弦番号も予備知識なしには理解することができない。弦楽器においては、音高の高い弦から順に弦番号が１，２，３，…と定められているが、弦番号によってチューニングを行なう際には、操作者は、音高の高い弦から弦番号が付けられているのか、あるいは音高の低い弦から弦番号が付けられているのかを知っている必要がある。従って、このような対応関係に不慣れな初心者にとってチューニング作業は困難である。
【０００４】
また、ギターは６弦のみであるが、ベースには標準的な４弦ベースの他に５弦や６弦のベースもある。このように弦楽器には様々な弦数のものがあるが、前述した公報では、弦数の異なる弦楽器間でそのチューナを共通に使用することに関しては考慮されていない。
【０００５】
本発明は、上記事情に鑑み、弦数の異なる弦楽器それぞれにわたり、チューニングを容易に行なうことのできるチューナを提供することを目的とする。
【０００６】
【課題を解決するための手段】
上記目的を達成する本発明のチューナのうちの第１のチューナは、
音信号が入力される入力手段と、
図形を表示する表示器と、
操作者による操作に応じて弦の本数を指定する弦数指定手段と、
上記弦数指定手段により指定された本数分の弦それぞれに対応した各弦対応部分からなる図形を前記表示器に表示させる第１の表示制御手段と、
操作者による操作に応じて基準弦とする１本の弦を指定する弦指定手段と、
上記表示器に表示される上記図形のうちの、上記弦指定手段により指定された基準弦に対応した弦対応部分に対応させて、上記表示器に、その基準弦を示す表示を行なう第２の表示制御手段と、
上記入力手段に入力された音信号の音高を検出する音高検出手段と、
上記音高検出手段により検出された検出音高と上記基準弦に対応して定められている基準音高とを比較して、その検出音高の、その基準音高からのズレ量を求める音高比較手段と、
上記音高比較手段により求められたズレ量を上記表示器に表示させる第３の表示制御手段とを備えたことを特徴とする。
【０００７】
本発明の第１のチューナは、操作者の操作により指定された本数分の弦それぞれに対応した各弦対応部分からなる図形の表示と、その図形のうちの、操作者の操作に応じて指定された基準弦に対応させてその基準弦を示す表示と、検出音高と基準音高とのズレ量の表示とを行なうものであるため、操作者は、弦数の異なる弦楽器のうちの所望の弦楽器の、チューニングしたい弦、およびその弦の基準音高に対するズレ量を視覚的に即座に知ることができる。従って、従来のチューナのように、各弦に対応する音名あるいは弦番号をあらかじめ知る必要もなく、初心者であっても、例えばギター（６弦）や、４弦ベース、５弦ベース、６弦ベース等、弦数の異なる弦楽器それぞれにわたり、チューニングを容易に行なうことのできる。
【０００８】
また、上記目的を達成する本発明のチューナのうちの第２のチューナは、
音信号が入力される入力手段と、
図形を表示する表示器と、
上記入力手段に入力された音信号の音高を検出する音高検出手段と、
上記音高検出手段により検出された検出音高に応じて基準弦とする１本の弦を指定する弦指定手段と、
複数の弦それぞれに対応する各弦対応部分からなる、弦の本数が相互に異なる複数の図形のうちの、上記弦指定手段により指定された基準弦に対応した弦対応部分を含む中で最小数の弦対応部分からなる図形を該表示器に表示する第１の表示制御手段と、
上記第１の表示制御手段により上記表示器に表示された図形のうちの、上記弦指定手段により指定された基準弦に対応した弦対応部分に対応させて、上記表示器に、その基準弦を示す表示を行なう第２の表示制御手段と、
上記音高検出手段により検出された検出音高と上記基準弦に対応して定められている基準音高とを比較して、その検出音高の、その基準音高からのズレ量を求める音高比較手段と、
上記音高比較手段により求められたズレ量を上記表示器に表示させる第３の表示制御手段とを備えたことを特徴とする。
【０００９】
本発明の第２のチューナは、入力された音信号の音高を検出し、検出された音高に応じて指定された基準弦に対応した弦対応部分を含む中で最小数の弦対応部分からなる図形の表示と、検出音高に応じて指定された基準弦を示す表示と、検出された音高と基準音高とのズレ量の表示とを行なうものであるため、例えばあるベースのある弦を弾くと、標準的な４弦ベース，Ｌｏ−Ｂを含む５弦ベース，Ｈｉ−Ｃを含む６弦ベースの図形のうちの、上記最小数の弦対応部分からなる図形の表示と、基準弦を示す表示と、検出された音高と基準音高とのズレ量の表示とが自動的に行なわれる。従って、初心者にとってもわかり易い表示であり、弦数の異なる弦楽器それぞれにわたり、チューニングを容易に行なうことができる。
【００１０】
さらに、上記目的を達成する本発明のチューナのうちの第３のチューナは、
音信号が入力される入力手段と、
図形を表示する表示器と、
操作者による操作に応じて相互に弦数の異なる複数の弦楽器のうちのいずれか１つの弦楽器を指定する楽器指定手段と、
上記楽器指定手段により指定された弦楽器の各弦それぞれに対応した各弦対応部分からなる図形を上記表示器に表示させる第１の表示制御手段と、
上記楽器指定手段により指定された弦楽器の、基準弦とする１本の弦を指定する弦指定手段と、
上記表示器に表示される上記図形のうちの、上記弦指定手段により指定された基準弦に対応した弦対応部分に対応させて、上記表示器に、その基準弦を示す表示を行なう第２の表示制御手段と、
上記入力手段に入力された音信号の音高を検出する音高検出手段と、
上記音高検出手段により検出された検出音高と上記基準弦に対応して定められている基準音高とを比較して、その検出音高の、その基準音高からのズレ量を求める音高比較手段と、
上記音高比較手段により求められたズレ量を上記表示器に表示させる第３の表示制御手段とを備えたことを特徴とする。
【００１１】
ここで、上記複数の弦楽器には、複数種類の弦楽器はもちろんのこと、例えば同じベースという種類である４，５，６弦ベースの場合等も含まれる。
【００１２】
本発明の第３のチューナは、操作者の操作により指定された相互に弦数の異なる複数種類の弦楽器のうちのいずれか１つの弦楽器の各弦それぞれに対応した各弦対応部分からなる図形の表示と、基準弦を示す表示と、検出された音高と基準音高とのズレ量の表示とを行なうものであるため、操作者は、複数の弦楽器のなかから所望の弦楽器を指定し、指定された弦楽器の、チューニングしたい弦、およびその弦の基準音高からのズレ量を視覚的に即座に知ることができる。従って、複数の弦楽器のうちの所望の弦楽器の弦のチューニングを容易に行なうことができる。
【００１３】
ここで、本発明の第３のチューナにおける楽器指定手段が、ギターとベースとのうちのいずれか一方を指定するものであってもよい。
【００１４】
また、本発明の第３のチューナにおける弦指定手段は、上記楽器指定手段により指定された弦楽器の弦を操作者の操作に応じて指定するものであってもよい。
【００１５】
このように、弦楽器の弦を操作者の操作に応じて指定すると、チューニング前に所望の弦を指定することができる。
【００１６】
さらに、本発明の第３のチューナにおける弦指定手段は、弦楽器の弦を音高検出手段により検出された検出音高に応じて指定するものであってもよい。
【００１７】
このように、弦楽器の弦を音高検出手段により検出された検出音高に応じて指定すると、音信号が入力された時点で自動的に弦を指定することができる。
【００１８】
また、本発明の第３のチューナにおける音高比較手段は、上記検出音高と上記楽器指定手段により指定された弦楽器に応じた基準音高とを比較するものであってもよい。
【００１９】
例えば、同じ６弦の配列であってもギターと６弦ベースとでは音高が互いに異なる。そこで、このように、音高比較手段が、検出音高と楽器指定手段により指定された弦楽器に応じた基準音高とを比較するものであると、ギターとベースとで区別して基準音高を取り扱うことができる。
【００２０】
また、上記各弦対応部分からなる図形は、弦そのものの図柄であってもよく、あるいは糸巻きの図柄であってもよい。
【００２１】
さらに、指定弦を示す表示は、各弦対応部分からなる図形の近傍に、後述する実施形態のように三角形の弦アイコンで表示してもよい。
【００２２】
また、上記図形上に、基準弦に対応した弦対応部分のみ他の弦対応部分とは異なる形状の図柄を表示するようにしてもよい。
【００２３】
さらに、上記図形のうちの、基準弦に対応した弦対応部分を、点滅表示したりあるいは他の弦対応部分とは異なる色で表示したりする等、その図形の、基準弦に対応した弦対応部分の表示形態を変化させて表示してもよい。
【００２４】
また、ユーザが楽器とその基準音高を定義し記憶可能とすることができる。
【００２５】
【発明の実施の形態】
以下、本発明の実施形態について説明する。
【００２６】
図１は、本発明のチューナの一実施形態の回路構成を示したブロック図である。
【００２７】
図１に示すチューナ１００は、本発明の第１，第２，第３のチューナの構成が含まれたチューナであり、このチューナ１００には、波形整形回路１０と、表示器２０と、ＡＵＴＯスイッチ３０と、ＭＡＮＵＡＬ  ＳＴＲＩＮＧスイッチ４０（以下、Ｍ・Ｓスイッチ４０と略記する）と、ＣＰＵ５０とが備えられている。
【００２８】
波形整形回路１０は、音信号を入力し、入力された音信号の波形を整形して、ＣＰＵ５０に向けて出力する。
【００２９】
表示器２０は、詳細は後述するが、指板アイコン，弦アイコン，弦番号，指針等を表示する。
【００３０】
ＡＵＴＯスイッチ３０は、チューナ１００がオート・ギターモードにある場合に操作されると、そのチューナ１００をオート・ベースモードに設定する。また、オート・ベースモードにある場合に操作されると、そのチューナ１００をオート・ギターモードに設定する。さらに、マニュアル・ギターモードにある場合に操作されるとオート・ギターモードに設定する。また、マニュアル・ベースモードにある場合に操作されるとオート・ベースモードに設定する。
【００３１】
Ｍ・Ｓスイッチ４０は、チューナ１００がオート・ギターモードにある場合に操作されると、そのチューナ１００をマニュアル・ギターモードに設定し、さらに操作されるとギターの弦を指定する。また、オート・ベースモードにある場合に操作されると、マニュアル・ベースモードに設定し、さらに操作されるとベースの弦を指定する。尚、上記各モードの詳細については後述する。
【００３２】
ＣＰＵ５０は、波形整形回路１０からの音信号の音高を検出し、検出された検出音高とあらかじめ定められている基準音高とを比較して、その検出音高の、基準音高からのズレ量を求める。ここで、上記基準音高は、ギターおよびベースに関して、それぞれ、各基準弦毎に設定されている。また、ＣＰＵ５０は、求めたズレ量や指板アイコン等を表示器２０に表示する。
【００３３】
図２は、図１に示す表示器の、オートモードにおける画面の状態を示す図である。
【００３４】
オートモードには、オート・ギターモードとオート・ベースモードとがある。オート・ギターモードにある状態では、表示器２０には、図２の左側に示す画面が表示される。この表示器２０には、指板アイコン表示部２１と、その指板アイコン表示部２１を挟んで左右に配置された弦アイコン表示部２２および弦番号表示部２３と、メータ表示部２４とが備えられている。指板アイコン表示部２１には、ギターの指板を表す６弦の指板アイコンが表示されている。尚、この時点では、弦アイコン表示部２２、弦番号表示部２３、およびメータ表示部２４には、何も表示されない。また、表示器２０の上部には、「ＧＵＩＴＡＲ」，「ＡＵＴＯ」が表示されている。ここで、ＡＵＴＯスイッチ３０が押されると、オート・ベースモードに移行し、図２の右側に示す画面に切り換えられる。指板アイコン表示部２１には、ベースの指板を表す４弦の指板アイコンが表示される。また、ＧＵＩＴＡＲの文字がＢＡＳＳの文字に置き換えられる。ここで、ＡＵＴＯスイッチ３０が再び押されると、オート・ギターモードに移行して、画面は再び図２の左側の状態に移行する。このように、ＡＵＴＯスイッチ３０が押される毎に、オート・ギターモードとオート・ベースモードとが切り換えられて、それらオート・ギターモード，オート・ベースモードに対応する画面が表示される。
【００３５】
図３は、図１に示す表示器の、オート・ギターモードおよびオート・ベースモードにおけるチューニングが行なわれた表示例を示す図である。
【００３６】
図３（ａ）には、オート・ギターモードの表示例が示されている。図３（ａ）に示す表示器２０の指板アイコン表示部２１には、ギターの指板を表す６弦の指板アイコンが表示されている。また、弦アイコン表示部２２には、三角マークの弦アイコンが表示されている。この三角マークの弦アイコンは、６弦のうちの指定弦（第６弦）を指し示している。さらに、弦番号表示部２３には、指定弦を示す番号‘６’が７セグメントで表示されている。また、メータ表示部２４には、検出音高の、基準音高からのズレ量‘０’を示す指針２４ａが表示されている。尚、この指針２４ａは、検出音高の、基準音高からのズレ量がマイナスの場合は図３（ａ）の左側に振れ、検出音高の、基準音高からのズレ量がプラスの場合は図３（ａ）の右側に振れる。
【００３７】
図３（ｂ）には、４弦ベースのオート・ベースモードの表示例が示されている。図３（ｂ）に示す指板アイコン表示部２１には、４弦ベースの指板を表す４弦の指板アイコンが表示されている。また、弦アイコン表示部２２には、指定弦（第４弦）を指し示す三角マークの弦アイコンが表示されている。さらに、弦番号表示部２３には、指定弦を示す番号‘４’が表示されている。また、メータ表示部２４には、検出音高の、基準音高からのズレ量‘０’を示す指針２４ａが表示されている。
【００３８】
図３（ｃ）には、５弦ベースのオート・ベースモードの表示例が示されている。図３（ｃ）に示す指板アイコン表示部２１には、５弦ベースの指板を表す５弦の指板アイコンが表示され、また弦アイコン表示部２２には、５本目の弦であるＬｏ−Ｂを指し示す三角マークの弦アイコンが表示されている。さらに、弦番号表示部２３には、Ｌｏ−Ｂを示すｂが表示されている。また、メータ表示部２４には、検出音高の、基準音高からのズレ量‘０’を示す指針２４ａが表示されている。
【００３９】
図３（ｄ）には、６弦ベースのオート・ベースモードの表示例が示されている。この図３（ｄ）に示す指板アイコン表示部２１には、６弦ベースの指板を表す６弦の指板アイコンが表示され、また弦アイコン表示部２２には、１本目の弦であるＨｉ−Ｃを指し示す三角マークの弦アイコンが表示されている。さらに、弦番号表示部２３には、Ｈｉ−Ｃを示すＣが表示されている。また、メータ表示部２４には、検出音高の、基準音高からのズレ量‘０’を示す指針２４ａが表示されている。
【００４０】
次に、チューナ１００の動作について説明する。
【００４１】
先ず、マニュアルモードにおける動作について説明する。マニュアルモードには、マニュアル・ギターモードとマニュアル・ベースモードとがある。
【００４２】
最初にマニュアル・ギターモードについて説明する。
【００４３】
図４は、図１に示す表示器２０の、マニュアル・ギターモードにおける表示状態を示す図である。
【００４４】
オート・ギターモードの状態からＭ・Ｓスイッチ４０が押されると、マニュアル・ギターモードに移行する。すると、電源投入後の初期状態においては表示器２０の指板アイコン表示部２１には、図４（ａ）に示すように、６本の弦数を表す指板アイコンが表示される。また、弦アイコン表示部２２の、指板アイコンの第６弦に対応する位置に、弦アイコンが表示される。さらに、弦番号表示部２３に、第６弦を示す番号‘６’が表示される。このように、最初の時点では、第６弦が指定されている。
【００４５】
ここで、Ｍ・Ｓスイッチ４０がさらに押されると、図４（ｂ）に示すように、弦アイコン表示部２２の、指板アイコンの第５弦に対応する位置に、弦アイコンが移動する。これにより、第５弦が指定される。また、弦番号表示部２３に、第５弦を示す番号‘５’が表示される。
【００４６】
以下同様にして、Ｍ・Ｓスイッチ４０が押される毎に、図４（ｃ）に示すように、弦アイコン表示部２２の、指板アイコンの第４弦、第３弦、第２弦、第１弦、第６弦に対応する位置に、弦アイコンが順次移動することにより、第４弦、第３弦、第２弦、第１弦、第６弦が指定される。これに伴い、弦番号表示部２３には、第４弦、第３弦、第２弦、第１弦、第６弦を示す番号‘４’、‘３’、‘２’、‘１’、‘６’が順次表示される。
【００４７】
このようにして、Ｍ・Ｓスイッチ４０で所望の弦を指定する。指定された指定弦を表すデータは、図示しない記憶手段に記憶される。記憶手段に記憶された指定弦を表すデータは、チューナ１００の電源を切らない限り保持される。尚、指定弦を表すデータは、基準弦を表すデータにコピーされる。また、ギターの各弦に対応する基準音高があらかじめ設定されている。
【００４８】
所望の弦が指定された後、チューナ１００にギターの音信号が入力されると、チューナ１００では、入力された音信号を波形整形回路１０で波形整形し、波形整形された音信号の音高をＣＰＵ５０で検出して、基準弦の基準音高と比較し、両者のずれ量を求め、±５０セント以内にあれば、表示器２０のメータ表示部２４にそのずれ量を指針２４ａで表示する。±５０セント以上の場合であって、入力音高が＋５０セント以上の場合は、＋５０セントの位置を指す。また、入力音高が−５０セント以下の場合は、−５０セントの位置を指す。操作者は、このズレ量が小さくなるように指定された弦のチューニングを行なう。図４（ｄ）には、第６弦がチューニングされた場合の、ズレ量‘０’を示す指針２４ａが表示されている。
【００４９】
次に、マニュアル・ベースモードについて説明する。
【００５０】
図５は、図１に示す表示器の、マニュアル・ベースモードにおける表示状態を示す図である。
【００５１】
オート・ベースモードの状態からＭ・Ｓスイッチ４０が押されると、マニュアル・ベースモードに移行する。すると、電源投入後の初期状態においては表示器２０の指板アイコン表示部２１には、図５（ａ）に示すように、４本の弦数を表す指板アイコンが表示される。また、弦アイコン表示部２２の、指板アイコンの第４弦に対応する位置に、弦アイコンが表示される。さらに、弦番号表示部２３に、第４弦を示す番号‘４’が表示される。このように、最初の時点では、第４弦が指定されている。指板アイコンは、４本の弦数を表すアイコンであるため、操作者はギターモードでないことが容易に認識できる。
【００５２】
以下、Ｍ・Ｓスイッチ４０が押される毎に、図５（ｂ）に示すように、弦アイコン表示部２２の、指板アイコンの第３弦、第２弦、第１弦に対応する位置に、弦アイコンが順次移動することにより、第３弦、第２弦、第１弦が指定される。これに伴い、弦番号表示部２３には、第３弦、第２弦、第１弦を示す番号‘３’、‘２’、‘１’が順次表示される。
【００５３】
第１弦が指定されている状態でＭ・Ｓスイッチ４０が押されると、図５（ｃ）に示すように、指板アイコン表示部２１には、４本の弦数を表す指板アイコンの上下に２本のアイコンが追加表示され、これにより６弦ベースに対応した６本の弦数を表す指板アイコンが表示される。追加表示された２本のアイコンのうち、上側のアイコンの位置に弦アイコンが表示されるとともに、弦番号表示部２３に、Ｈｉ−Ｃを示す番号Ｃが表示される。Ｈｉ−Ｃの基準音高の弦を有するベースは一般に６弦ベースなので、Ｈｉ−Ｃの場合は、このように６本の弦表示が行なわれる。このＨｉ−Ｃは、オクターブ３のド音である。
【００５４】
さらに、Ｍ・Ｓスイッチ４０が押されると、図５（ｄ）に示すように、指板アイコン表示部２１には、５弦ベースに対応した５本の弦数を表す指板アイコンが表示される。この５本の弦数を表す指板アイコンは、４弦ベースに対応した４本の弦数を表す指板アイコンの下側に１本のアイコンが追加されたものである。また、弦アイコン表示部２２の、追加された１本のアイコンに対応する５本目の弦の位置に、弦アイコンが表示される。また、弦番号表示部２３に、Ｌｏ−Ｂを示す番号ｂが表示される。この５本目の弦は、一般的に、オクターブ０のシの音である。
【００５５】
さらに、Ｍ・Ｓスイッチ４０が押されると、図５（ｅ）に示す表示、即ち図５（ａ）に示す最初の状態に移行する。
【００５６】
このようにして、Ｍ・Ｓスイッチ４０で所望の指定弦を指定する。指定された指定弦を表すデータは、図示しない記憶手段に記憶される。記憶された指定弦を表すデータは、チューナ１００の電源を切らない限り保持される。尚、指定弦を表すデータは、基準弦を表すデータにコピーされる。また、ベースの各弦に対応する基準音高があらかじめ設定されている。
【００５７】
所望の弦が指定された後、チューナ１００にベースの音信号が入力されると、チューナ１００では、入力された音信号を波形整形回路１０で波形整形し、波形整形された音信号の音高をＣＰＵ５０で検出して、基準弦の基準音高と比較し、両者のズレ量を求め、±５０セント以内にあれば、表示器２０のメータ表示部２４にそのズレ量を指針２４ａで表示する。±５０セント以上の場合であって、入力音高が＋５０セント以上の場合は、＋５０セントの位置を指す。また、入力音高が−５０セント以下の場合は、−５０セントの位置を指す。操作者は、このズレ量が小さくなるようにチューニングを行なう。図５（ｆ）には、第４弦がチューニングされた状態が示されている。
【００５８】
このように、マニュアル・ベースモードでは、４弦ベースに加え、５弦ベース、６弦ベースに対応した指板アイコンの表示と、指定弦を指し示す弦アイコンの表示と、ズレ量の表示とが行なわれるため、初心者にもわかりやすい表示となっている。
【００５９】
次に、オートモードにおける動作について説明する。オートモードには、前述したようにオート・ベースモードとオート・ギターモードとがある。
【００６０】
先ず、オート・ベースモードについて説明する。
【００６１】
図６は、図１に示す表示器の、オート・ベースモードにおける表示状態を示す図である。
【００６２】
マニュアル・ベースモードの状態からＡＵＴＯスイッチ３０が押されると、オート・ベースモードに移行する。オート・ベースモードでは、入力された音信号の音高を検出し、検出された音高が第４弦の基準音高に最も近い音高の場合はその第４弦を基準弦とし、図６（ａ）に示すように、表示器２０に、４弦ベースに対応した４本の弦数を表す指板アイコンと、その指板アイコンの、第４弦に対応する位置に弦アイコンを表示する。また、弦番号も表示する。さらに、検出された音高の、第４弦の基準音高からのズレ量を求め、±５０セント以内にあれば、表示器２０のメータ表示部２４にそのズレ量を指針２４ａで表示する。±５０セント以上の場合であって、入力音高が＋５０セント以上の場合は、＋５０セントの位置を指す。また、入力音高が−５０セント以下の場合は、−５０セントの位置を指す。操作者は、ズレ量が小さくなるように第４弦をチューニングする。以下同様にして、入力された音信号の音高が、それぞれ、第３弦，第２弦，第１弦の基準音高に最も近い音高の場合は、図６（ｂ），図６（ｃ），図６（ｄ）に示すように、４弦ベースに対応した４本の弦数を表す指板アイコンに加え、その指板アイコンの、第３弦，第２弦，第１弦に対応する位置に弦アイコンを表示するとともに弦番号‘３’，‘２’，‘１’を表示し、さらにズレ量も表示する。
【００６３】
ここで、入力された音信号の音高が、４本の弦の基準音高以外の、６本目の弦であるＨｉ−Ｃの基準音高に最も近い音高の場合は、Ｈｉ−Ｃを基準弦とし、図６（ｅ）に示すように、６弦ベースに対応した６本の弦数を表す指板アイコンと、その指板アイコンの、Ｈｉ−Ｃの弦に対応する位置を指し示す弦アイコンと、Ｈｉ−Ｃを示すＣと、ズレ量とを表示する。
【００６４】
また、入力された音信号の音高がＬｏ−Ｂの基準音高に最も近い音高の場合はＬｏ−Ｂを基準弦とし、図６（ｆ）に示すように、５弦ベースに対応した５本の弦数を表す指板アイコンと、その指板アイコンの、Ｌｏ−Ｂの弦に対応する位置を指し示す弦アイコンと、Ｌｏ−Ｂを示すｂと、ズレ量とを表示する。
【００６５】
このようにすることにより、４弦ベース、５弦ベース、６弦ベースのいずれにも、このチューナ１００を使用することができ、また操作者が弦の指定を行なわなくても自動で基準音高からのズレ量がわかる。
【００６６】
次に、オート・ギターモードについて説明する。
【００６７】
図７は、図１に示す表示器の、オート・ギターモードにおける表示状態を示す図である。
【００６８】
マニュアル・ギターモードの状態からＡＵＴＯスイッチ３０が押されると、オート・ギターモードに移行する。オート・ギターモードでは、入力された音信号の音高を検出し、検出された音高が第６弦の基準音高に最も近い音高の場合は、第６弦を基準弦とし、図７（ａ）に示すように、表示器２０に、ギターに対応した６本の弦数を表す指板アイコンと、その指板アイコンの、第６弦に対応する位置を指し示す弦アイコンと、弦番号‘６’と、第６弦の基準音高と検出された音高とのズレ量を表示する。以下、同様にして、入力された音信号の音高が、それぞれ、第５弦，第４弦，第３弦，第２弦，第１弦の基準音高に最も近い音高の場合、図７（ｂ），図７（ｃ），図７（ｄ），図７（ｅ），図７（ｆ）に示すように、６本の弦数を表す指板アイコンに加え、その指板アイコンの、第５弦，第４弦，第３弦，第２弦，第１弦に対応する位置に弦アイコンを表示するとともに弦番号‘５’，‘４’，‘３’，‘２’，‘１’を表示し、さらにズレ量を表示する。このようにすることにより、操作者がギターの弦の指定を行なわなくても自動で基準音高からのズレ量がわかる。
【００６９】
図８は、図１に示すチューナのＡＵＴＯスイッチもしくはＭ・Ｓスイッチが操作された場合に起動される表示処理ルーチンのフローチャートである。
【００７０】
ＡＵＴＯスイッチ３０もしくはＭ・Ｓスイッチ４０のいずれかの操作子が操作されると、先ず、ステップＳ１１において、ＡＵＴＯスイッチ３０もしくはＭ・Ｓスイッチ４０のいずれの操作子が操作されたかが判定される。ＡＵＴＯスイッチ３０が操作されたと判定された場合は、ステップＳ１２に進む。ステップＳ１２では、現在のモードがオートモード（Ａ）かマニュアルモード（Ｍ）かが判定される。オートモード（Ａ）であると判定された場合はステップＳ１３に進み、ギターモード（Ｇ）かベースモード（Ｂ）かを示すＧＢレジスタを反転させてステップＳ１６に進む。これにより、現在のモードがギターモード（Ｇ）の場合はベースモード（Ｂ）となり、これとは逆に現在のモードがベースモード（Ｂ）の場合はギターモード（Ｇ）となる。一方、ステップＳ１２において、現在のモードがマニュアルモードであると判定された場合は、ステップＳ１４に進む。ステップＳ１４では、オートモード（Ａ）かマニュアルモード（Ｍ）かを示すＡＭフラグをオートモード（Ａ）にセットしてステップＳ１５に進む。ステップＳ１５では、表示器２０の、このルーチンで前回表示されている弦アイコンと弦番号を消去してステップＳ１６に進む。
【００７１】
ステップＳ１６では、ギターモード（Ｇ）かベースモード（Ｂ）かが判定される。ギターモード（Ｇ）であると判定された場合はステップＳ１７に進み、６弦分の指板アイコン、「ＧＵＩＴＡＲ」，「ＡＵＴＯ」を表示してこのルーチンを終了する。一方、ベースモード（Ｂ）であると判定された場合はステップＳ１８に進み、４弦分の指板アイコン、「ＢＡＳＳ」，「ＡＵＴＯ」を表示してこのルーチンを終了する。このようにして、前述した図２に示すオートモードの画面を表示する。
【００７２】
一方、ステップＳ１１において、Ｍ・Ｓスイッチ４０が操作されたと判定された場合は、ステップＳ１９に進む。ステップＳ１９では、ギターモード（Ｇ）かベースモード（Ｂ）かが判定される。ギターモード（Ｇ）であると判定された場合はステップＳ２０に進む。ステップＳ２０では、現在のモードがオートモード（Ａ）かマニュアルモード（Ｍ）かが判定される。オートモード（Ａ）であると判定された場合はステップＳ２１に進み、ＡＭフラグをマニュアルモード（Ｍ）にセットしてステップＳ２３に進む。一方、ステップＳ２０においてマニュアルモード（Ｍ）であると判定された場合はステップＳ２２に進み、指定弦が第６弦である場合は第５弦にずらすというようにギターモード用の指定弦を小さい番号の弦の方に１つずらす。尚、指定弦が第１弦である場合は第６弦にずらす。
【００７３】
次に、ステップＳ２３に進む。ステップＳ２３では、ギターモード用の指定弦を基準弦にコピーする。これにより、ギター用の基準ピッチがコピーされることとなる。ステップＳ２４では、表示器２０に弦アイコンと弦番号を表示してステップＳ２５に進む。ステップＳ２５では、６弦分の指板アイコンを表示してこのルーチンを終了する。
【００７４】
一方、ステップＳ１９において、ベースモード（Ｂ）であると判定された場合はステップＳ２６に進み、現在のモードがオートモード（Ａ）かマニュアルモード（Ｍ）かが判定される。オートモード（Ａ）であると判定された場合はステップＳ２７に進み、ＡＭフラグをマニュアルモード（Ｍ）にセットしてステップＳ２８に進む。一方、ステップＳ２６においてマニュアルモード（Ｍ）であると判定された場合はステップＳ２９に進み、指定弦が第４弦である場合は第３弦にずらすというようにベースモード用の指定弦を小さい番号の弦の方に１つずらす。尚、指定弦が第１弦である場合はＨｉ−Ｃの弦に、またＨｉ−Ｃの弦である場合はＬｏ−Ｂの弦にずらす。また、指定弦がＬｏ−Ｂの弦である場合は第４弦にずらす。
【００７５】
ステップＳ２８では、ベース用の指定弦を基準弦にコピーすることにより、そのベース用の指定弦に対応して定められているベース用の基準音高を得、ステップＳ３０に進む。ステップＳ３０では、基準弦に基づいて表示器２０に弦アイコンと弦番号を表示してステップＳ３１に進む。ステップＳ３１では、基準弦が、Ｌｏ−Ｂの弦か、あるいは第４から第１の弦か、あるいはＨｉ−Ｃの弦かが判定される。Ｌｏ−Ｂの弦であると判定された場合はステップＳ３２に進み、Ｌｏ−Ｂを含む５弦分の指板アイコンを表示してこのルーチンを終了する。また、第４から第１までの弦であると判定された場合はステップＳ３３に進み、４弦分の指板アイコンを表示してこのルーチンを終了する。また、Ｈｉ−Ｃの弦であると判定された場合はステップＳ３４に進み、Ｈｉ−Ｃを含む６弦分の指板アイコンを表示してこのルーチンを終了する。
【００７６】
図９は、検出音高と基準音高とのズレ量を表示器に表示させるためのルーチンのフローチャートである。
【００７７】
このルーチンは、図示しないタイマにより所定時間毎に起動される。
【００７８】
先ず、ステップＳ１１１において、音信号が現在入力されているか否かにかかわらず音信号の音高（以下、ピッチと記述する）の検出動作を行なう。次に、ステップＳ１１２において、現在のモードがオートモード（Ａ）かマニュアルモード（Ｍ）かが判定される。オートモード（Ａ）であると判定された場合はステップＳ１１３に進む。ステップＳ１１３では、ピッチが検出されたか否かが判定される。ピッチが検出されたと判定された場合はステップＳ１１４に進む。
【００７９】
ステップＳ１１４では、ギターモード（Ｇ）かベースモード（Ｂ）かが判定される。ギターモード（Ｇ）であると判定された場合はステップＳ１１５に進み、ギターモード（Ｇ）の弦の並びに応じて基準弦を設定する。即ち、ギター用として各弦に対応して設定されている基準音高のうち、検出されたピッチに最も近い基準音高を持つ弦を基準弦とする。この選択された基準弦のピッチを、基準ピッチ（後述するステップＳ１２４参照）とする。次にステップＳ１１６に進む。ステップＳ１１６では、基準弦に基づいて表示器２０に弦アイコンと弦番号を表示する。さらに、ステップＳ１１７において６弦分の指板アイコンを表示して、後述するステップＳ１２４に進む。
【００８０】
一方、ステップＳ１１４において、ベースモード（Ｂ）であると判定された場合はステップＳ１１８に進み、ベースモード（Ｂ）の弦の並びに応じて基準弦を設定する。即ち、ベース用として各弦に対応して設定されている基準音高のうち、検出されたピッチに最も近い基準音高を持つ弦を基準弦とする。この選択された基準弦のピッチを、基準ピッチ（後述するステップＳ１２４参照）とする。次にステップＳ１１９に進む。ステップＳ１１９では、基準弦に基づいて表示器２０に弦アイコンと弦番号を表示する。さらに、ステップＳ１２０において、基準弦が、Ｌｏ−Ｂの弦か、あるいは第４から第１までの弦か、あるいはＨｉ−Ｃの弦かが判定される。Ｌｏ−Ｂの弦であると判定された場合はステップＳ１２１に進み、最小数となるＬｏ−Ｂを含む５弦分の指板アイコンを表示部してステップＳ１２４に進む。また、第４から第１までの弦であると判定された場合はステップＳ１２２に進み、最小数となる４弦分の指板アイコンを表示部してステップＳ１２４に進む。また、Ｈｉ−Ｃの弦であると判定された場合はステップＳ１２３に進み、最小数となるＨｉ−Ｃを含む６弦分の指板アイコンを表示してステップＳ１２４に進む。また、前述のステップＳ１１２において、現在のモードがマニュアルモード（Ｍ）であると判定された場合はステップＳ１２４に進む。
【００８１】
ステップＳ１２４では、基準弦の基準ピッチと検出されたピッチの差（ズレ量）を、表示器２０のメータ表示部２４に指針２１ａで表示してこのルーチンを終了する。
【００８２】
また、ステップＳ１１３において、ピッチが検出されていないと判定された場合は、ステップＳ１２５に進み、表示器２０の弦アイコンと弦番号を消去してステップＳ１２６に進む。
【００８３】
ステップＳ１２６では、ギターモード（Ｇ）かベースモード（Ｂ）かが判定される。ベースモード（Ｂ）であると判定された場合はステップＳ１２７に進み、４弦分の指板アイコンを表示する。ベースモード（Ｂ）では、指板アイコンの表示は４弦用，５弦用，６弦用と３通りあるが、最小数の４弦用の指板アイコンを表示してステップＳ１２９に進む。一方、ギターモード（Ｇ）であると判定された場合はステップＳ１２８に進み、６弦分の指板アイコンを表示してステップＳ１２９に進む。
【００８４】
ステップＳ１２９では、表示器２０のメータ表示部２４の指針２４ａを消去してこのルーチンを終了する。
【００８５】
ここで、図８、図９に示す各ステップと、本発明の第１，第２，第３のチューナの構成との対応関係について説明する。
【００８６】
図８に示す、Ｍ・Ｓスイッチ４０によりマニュアル・ギターモードが指定された場合に６弦分の指板アイコンを表示するステップＳ２５、およびＭ・Ｓスイッチ４０によりマニュアル・ベースモードが指定された場合に５弦，４弦，６弦分の指板アイコンを表示するステップＳ３２〜Ｓ３４が、本発明の第１のチューナの、弦数指定手段により指定された本数分の弦それぞれに対応した各弦対応部分からなる図形を表示器に表示させる第１の表示制御手段に相当する。
【００８７】
また、Ｍ・Ｓスイッチ４０によりマニュアル・ギターモードが指定された場合にギター用の基準弦（指定弦）を示す弦アイコン，弦番号を表示するステップＳ２４、およびＭ・Ｓスイッチ４０によりマニュアル・ベースモードが指定された場合にベース用の基準弦（指定弦）を示す弦アイコン，弦番号を表示するステップＳ３０が、本発明の第１のチューナの、表示器に表示される図形のうちの、弦指定手段により指定された基準弦に対応した弦対応部分に対応させて、表示器に、その基準弦を示す表示を行なう第２の表示制御手段に相当する。
【００８８】
さらに、図９に示す、ピッチ検出を行なうステップＳ１１１が、本発明の第１，第２，第３のチューナの音高検出手段に相当する。また、基準弦の基準ピッチと検出されたピッチの差を比較して針表示するステップＳ１２４が、本発明の第１，第２，第３のチューナの音高比較手段および第３の表示制御手段に相当する。
【００８９】
また、４弦，５弦，６弦分の指板アイコンのうちの基準弦の指板アイコンを表示するステップＳ１２０乃至Ｓ１２３が、本発明の第２のチューナの、複数の弦それぞれに対応する各弦対応部分からなる、弦の本数が相互に異なる複数の図形のうちの、弦指定手段により指定された弦に対応した弦対応部分を含む中で最小数の弦対応部分からなる図形を表示器に表示する第１の表示制御手段に相当する。
【００９０】
さらに、オート・ベースモードにおける弦アイコンと弦番号を表示するステップＳ１１９が、本発明の第２のチューナの、上記第１の表示制御手段により表示器に表示された図形のうちの、上記弦指定手段により指定された基準弦に対応した弦対応部分に対応させて、表示器に、その基準弦を示す表示を行なう第２の表示制御手段に対応する。
【００９１】
また、図８に示す、ＡＵＴＯスイッチ３０により指定されたオート・ギターモード，オート・ベースモードにおける指板アイコンを表示するステップＳ１７，Ｓ１８、および図９に示すステップＳ１１７，Ｓ１２０〜Ｓ１２３が、本発明の第３のチューナの、楽器指定手段により指定された弦楽器の各弦それぞれに対応した各弦対応部分からなる図形を表示器に表示させる第１の表示制御手段に対応する。また、図８に示す、Ｍ・Ｓスイッチ４０により指定されたマニュアル・ギターモード，マニュアル・ベースモードにおける６弦分の指板アイコンを表示するステップＳ２５，ステップＳ３１〜Ｓ３４も、本発明の第３のチューナの第１の表示制御手段に対応する。
【００９２】
さらに、マニュアル・ギターモード，マニュアル・ベースモードにおける弦アイコンと弦番号を表示するステップＳ２４，Ｓ３０が、本発明の第３のチューナの、表示器に表示された上記図形のうちの、弦指定手段により指定された基準弦に対応した弦対応部分に対応させて、表示器に、その基準弦を示す表示を行なう第２の表示制御手段に対応する。
【００９３】
また、オート・ギターモード，オート・ベースモードにおける弦アイコンと弦番号を表示するステップＳ１１６，Ｓ１１９が、本発明の第３のチューナの、表示器に表示された上記図形のうちの、弦指定手段により指定された基準弦に対応した弦対応部分に対応させて、表示器に、その基準弦を示す表示を行なう第２の表示制御手段に対応する。
【００９４】
尚、本実施形態では、オートモードとマニュアルモードとの双方のモードを備えた例で説明したが、マニュアルモードのみとし、マニュアル・ギターモードとマニュアル・ベースモードの切り換えを行なうのみでもよい。また、マニュアル・ベースモードのみを有し、４弦ベース、５弦ベース、６弦ベースの切り換えを行なうのみでもよい。
【００９５】
また、本実施形態では、基準弦に基づいて、対応する弦アイコンと弦番号を表示したが、これに加えて、基準弦に対応する音名とオクターブも表示するようにしてもよい。
【００９６】
さらに、本実施形態では、オートモード、マニュアルモードのいずれのモードにおいても、選択した楽器（ギター／ベース）に対応して基準音高を決定したが、これに加えて、オートモードの場合には、楽器を選択することなく、入力された音信号の音高に最寄りの音名の音高を基準音高としたり、あるいは、マニュアルモードの場合には、楽器を選択することなく、任意の音名を指定することにより基準音高を決定するようにしてもよい。すなわち、本実施形態に開示された動作と、いわゆるクロマチックチューナの動作を切り替えられるようにしてもよい。
【００９７】
また、本実施形態では、チューニング対象の楽器としてギターとベースを取り上げ、選択された楽器に対応する基準音高に基づいてチューニングの表示を行なうようにしたが、これら以外の楽器、例えば、ウクレレ、大正琴、バンジョー、三味線、バイオリン等に対応してそれぞれ基準音高を設定しておき、選択された楽器に対応する基準音高に基づいてチューニングの表示を行なうようにしてもよい。
【００９８】
さらに、本実施形態では、あらかじめ設定されている楽器に対応する基準音高に基づいてチューニングの表示を行なうようにしたが、これに加えて、ユーザが基準音高を任意に設定し、チューニング対象の楽器として記憶させるようにしてもよい。この場合、あらかじめ設定されている楽器およびユーザが設定した楽器の中から、ユーザがいずれの楽器を選択したときに、その選択された楽器に対応して記憶されている基準音高に基づいてチューニングの表示を行なうようにしてもよい。
【００９９】
【発明の効果】
以上説明したように、本発明によれば、弦数の異なる弦楽器それぞれにわたり、チューニングを容易に行なうことのできるチューナを提供することができる。
【図面の簡単な説明】
【図１】本発明のチューナの一実施形態の回路構成を示したブロック図である。
【図２】図１に示す表示器の、オートモードにおける画面の状態を示す図である。
【図３】図１に示す表示器の、オート・ギターモードおよびオート・ベースモードにおけるチューニングが行なわれた表示例を示す図である。
【図４】図１に示す表示器２０の、マニュアル・ギターモードにおける表示状態を示す図である。
【図５】図１に示す表示器の、マニュアル・ベースモードにおける表示状態を示す図である。
【図６】図１に示す表示器の、オート・ベースモードにおける表示状態を示す図である。
【図７】図１に示す表示器の、オート・ギターモードにおける表示状態を示す図である。
【図８】図１に示すチューナのＡＵＴＯスイッチもしくはＭ・Ｓスイッチが操作された場合に起動される表示処理ルーチンのフローチャートである。
【図９】検出音高と基準音高とのズレ量を表示器に表示させるためのルーチンのフローチャートである。
【符号の説明】
１０  波形整形回路
２０  表示器
２１  指板アイコン表示部
２２  弦アイコン表示部
２３  弦番号表示部
２４  メータ表示部
２４ａ  指針
３０  ＡＵＴＯスイッチ
４０  ＭＡＮＵＡＬ  ＳＴＲＩＮＧスイッチ（Ｍ・Ｓスイッチ）
５０  ＣＰＵ
１００  チューナ
【図１】
0004319313.tif 000002
【図２】
0004319313.tif 000003
【図３】
0004319313.tif 000004
【図４】
0004319313.tif 000005
【図５】
0004319313.tif 000006
【図６】
0004319313.tif 000007
【図７】
0004319313.tif 000008
【図８】
0004319313.tif 000009
【図９】
0004319313.tif 000010